(57)【要約】【課題】早漏の防止と改善には、不可欠な肉体面と精神面の両面からの改善ができる小型で、安価で、効果の高い、また、それを使用していることを、女性に気付かれ難く更に、女性器に負担を掛けない構造の早漏の防止、及び改善用具を提供する。【解決手段】亀頭に沿ったたなだらかな形状の伸縮性に富んだ材質からなる本品は、ペニス亀頭部に被せる事で、亀頭及び亀頭部周辺への刺激を軽減させ、射精までの持続時間を長くする、早漏防止、及び改善用具である。更に、使用者に合わせた数サイズの設定があり、また、各サイズごとに数段階の厚さの設定があり、使用者は、厚いものから使用し持続時間が長くなったところで、徐々に薄くしていく本方法をとることで、自信を取り戻しながら、同時にペニスへの性的刺激にも慣れていくことが出来ます。この方法により、早漏の防止と改善に重要な肉体面、精神面両面からの改善が出来る事を特徴とする。【選択図】図３
2004261257.tif 000002
【特許請求の範囲】
【請求項１】
弾性に富んだ伸縮性のある材質からなり、ペニス亀頭部に被せる事で、亀頭及び亀頭周辺への刺激を軽減させる早漏防止、及び改善用具
【請求項２】
亀頭基部周辺及び、亀頭基部下側周辺の肉厚の厚くなっている、早漏防止、及び改善用具
【請求項３】
ペニスの尿道口が、露出するように開口されていて、使用時にコンドームを被せて使用することも出来る早漏防止、及び改善用具
【請求項４】
数種類のサイズがあり更に、各サイズごと数段階の厚さの設定があり、厚い物から徐々に薄い物に替えていく使用方法も出来る、早漏防止、及び改善用具
【発明の詳細な説明】
【０００１】
【発明の属する技術分野】
本発明は、男性の早漏の防止、及び改善に関する
【０００２】
【従来の技術】
従来、性生活において種々の悩みは有るが、その中に、勃起はするが早漏の為、十分な性交が行えず、性生活において女性を満足させられないという悩みを、持つ男性は多い。そして、薬物の使用をせずに、女性に気付かれずに早漏を改善したいと願う男性は多い、しかし、従来の早漏防止のものとして、ペニスや亀頭に被せる物はあるが、疑似ペニス的な物であったり、外観上大きかったり、また、イボイボ等の突起が付いているなど、外観が非常にグロテスクな形状の物だったりと、女性に気付かれずに装着するのは極めて困難な物がほとんどであり、またそれらは、早漏防止というよりも、ペニスや亀頭の大きさや形状を変えるといった趣旨が主体のジョークグッズ的な物が多く、また、非常に高価なものが多かった。また、国語辞典等にも記載されているように早漏とは精神面によるものも多く、その改善にあたっては、肉体面、精神面、両面から改善していくべきである。つまり、ペニスへの性的刺激に慣れて肉体的に順応していきながら、性交の持続時間を長くし、女性を満足させる事等で、精神的にも、男性が自信を取り戻しながら、早漏の防止と改善をしていくべきである。しかし、従来品にそのようなものは無い。一例として、男性が早漏防止の物を付けていることを女性に気付かれてしまうと、羞恥心を覚えたりし、男性が自信を取り戻す事は困難になってきます、よって、そういった上記のような従来のものが、精神面、肉体面、両面からの解決の補助になるのは、非常に困難である。従来のペニスに被せるタイプのもの（例えば、特許文献１参照）
【０００３】
【特許文献１】
特許１８８５５１７号
【０００４】
【発明が解決しようとする課題】
上述のように、勃起はするが早漏の為、十分な性交が出来ず満足な性生活が送れないと悩む男性が、早漏の防止用具を使用する際に、いくつかの問題点があった。例えば、ペニスや亀頭に被せるタイプのものは、大きい、形状がグロテスク、その為女性の性器にも負担が掛かったり、不快感を与える事がある、また、外観上、形状的に女性の同意が得られ難い、しかし、同意が無いと使用出来ない。つまり、女性に気付かれずに、男性の意思のみで使用することが出来ない。また、高価である。また、肉体面、精神面の両面からの改善にならない。本発明は、以上の欠点を解消するべく、男性の意思のみで女性に気付かれずに使用出来、もしくは、同意を得やすく、尚且つ、肉体面、精神面共に改善していく為の、安価で小型な、早漏の防止、及び改善用具を提供しようとするものである。
【０００５】
【課題を解決するための手段】
上述した目的を達成する為にこの発明は、伸縮性に富んだ材質により亀頭を覆うようになだらかな曲線で形成され、特に敏感な亀頭基部周辺、亀頭基部下側周辺は、肉厚が厚く形成され更に、亀頭部基部よりペニス基部方向に数センチの、ストッパー部を設け、また、尿道口周辺には開口部を設けた。また、使用時は、本品を亀頭部に被せ、更にコンドームを被せる事で使用する。本発明は、以上の構成からなる、亀頭部への刺激を軽減する事で、射精までの時間を長くする早漏防止、及び改善用具である。
【０００６】この発明は更に、数サイズの大きさを設定することで、使用者が自分に合ったサイズの物を選ぶ事が出来ます。更に、各サイズに数段階の厚さの設定があるので、本品を使用し持続時間が長くなったところで、段階を追って薄くしていく方法を取ることが出来、持続性を維持し、女性に満足してもらう喜びを感じながら、自信を取り戻していき、同時にペニスへの性的刺激にも少しずつ慣れていくことが出来るシステムです。それにより、肉体面、精神面共に改善していく事が出来ます。
【０００７】
【実施例】
以下、本発明の一実施例を図面の符号も用いて説明する。
【０００８】図面は、本発明の一実施例を示し、勃起時のペニスへの装着状態を示します。本品は、図のような形状をしておりシリコンゴム等の伸縮性に富んだ、人体反応の無い材質より形成されています。非装着状態では、ペニスよりも小さく、装着する事で適度な密着感が生まれます。また、上記シリコンゴム等の伸縮素材は、伸縮性があり、人体反応が無く、その伸縮性により装着しやすく、また、適度な密着をし上記条件を満たす物であれば、材料に限定は無い。
【０００９】図のように亀頭の形状に沿ったなだらかな曲線により形成されていて、自然な形状をしています。厚さも図の２の周辺で０．２ｍｍから３．５ｍｍ程なので、女性器に負担をかけず、また、女性に不快感も与えません。また、使用時に、本品の上にコンドームを、被せて使用するので、本品を、付けていることを女性に気付かれ難いのも特徴です。また、女性との同意のもとで、早漏の防止と改善に取り組む場合でも、形状がグロテスクな物や大きなものと違い、非装着状態でも小さく、装着状態でも自然な形状であるので、女性が受け入れやすく同意を得やすく、そのようにお互いが協力して早漏の防止と改善を行う場合にも適しています。よって、本品の色は、女性に気付かれ難く、また、受け入れ易いという点で、半透明や、透明もしくは、ペニスや、亀頭部に近い肌色等が望ましい。ただし色に限定は無い。形状や厚さも上記のものが望ましいが、女性に対し性感を増す等の目的であれば図の形状を基本として、突起をつける等、形状や、厚さに限定は無い。
【００１０】本品は、図のような形状をしており亀頭周辺を本品により覆う事で、亀頭周辺へ受ける刺激を軽減させる事により、早漏の防止、及び改善効果があります。図３を例に更に詳細な説明を致します。１の先端開口部は、尿道口付近を開口してあり、射精時に精液は１を通ってコンドームの精液溜まりに入ります。１先端開口部、６後端開口部共に、図のように開口部縁部に近づくほど肉厚が薄くなります、それにより、コンドームを装着した場合に、外観上不自然な段差が出来ない為、女性器への挿入がし易く、男性女性とも性器に負担が掛からず不快感もありません。更に、本品を付けている事が、女性に気付かれ難くなります。３の亀頭基部周辺は、その縁周に沿って図のように肉厚が、厚くなっています。ペニスの敏感なこの部分への刺激を軽減する事で、いっそう早漏防止、改善効果を高めると共に、適度な締め付けによりペニスと本品との位置を保ち、ズレ、脱落を防止し密着を保ちます。また、４の亀頭基部下側周辺の点線に囲まれている部分も肉厚が厚くなっており、ペニスで最も敏感なこの部分への刺激を和らげます。それにより、更に早漏防止、改善効果が、高くなります。２の部位で、亀頭全体を覆う形となります。この部位の厚さで約０．２ｍｍから３．５ｍｍの範囲で、数段階の厚さの設定があります。その際、３や４の部位もそれに伴って厚さが変わります。６のストッパー部は、適度な締め付けと、摩擦によりペニスと本品との位置を保ちズレ、脱落を防止し密着を保ちます。また、６の裏側にすべり止めとして、リブ加工を施しても良い。このように本品は、弾性のある人体反応の無い素材から形成され、小型で密着性がある為、使用者の男性は、違和感や重さを感じる事無く使用出来、また、女性も挿入時に違和感や不快感が無い。
【００１１】本品の使用方法は、まず、図のように本品を正しい位置に装着します。その際、ペニスの表皮は、ペニス基部側に引き亀頭を露出します。また、その際に、本品裏側や亀頭側にローション等の潤滑材を、塗布しておくと装着がし易い。また、非装着状態では、コンドームのように１を上にして、６の縁部より、本品内側が、外にくるように巻いておくと良いでしょう。そして、装着後は、本品の上に更にコンドームを装着します。その際コンドームをペニス根元の方にしっかりと引っ張っておくと尚良い。尚、本品は使い捨ててもいいが、繰り返し使う事が出来ます。その際は、中性洗剤等で良く洗浄する事が重要である。尚、避妊を考慮しない場合は、コンドームの併用は行わなくても良いが、その場合は、本品の脱落に注意すべきである。
【００１２】また、本品は、使用者のペニスのサイズに出来るだけ合ったものを使用するのが望ましい為、数サイズの設定があり、使用者は、自分に合ったものを装着します。更に、各サイズごとに数段階の厚さの設定もあり、使用者の、早漏の度合いや、好みに合わせた厚さのものを選択、装着する事が出来ます。
【００１３】また、早漏は、精神面も原因となっている事が多く、その場合、早く射精してしまうんじゃないかと思えば思うほど早漏になってしまいます。もちろん早漏の男性は、肉体的なペニスへの性的刺激に対しても敏感であります。つまり、早漏の防止、改善とは、肉体面、精神面、両面からの改善が必要となります。そこで、本品の特長として、厚いものから使用を始め、ペニスへの性的刺激を大幅に軽減させ、射精までの持続時間を延ばし、女性に満足してもらう喜びを感じながら、自信を取り戻していき、精神的な不安原因を取り除き、同時に各厚さごとにペニスへの性的刺激にも少しずつ慣れていき、持続性を維持していきながら、徐々に薄いものにしていくことで、肉体的な刺激にも慣れていくことが出来ます。これにより、肉体面、精神面共に改善していく事が出来ます。更に、本品は、付けている事が女性に気付かれ難い事も特徴ですので、使用者が、この早漏の防止と改善を女性に気付かれずに行う事が出来るのも、精神的な改善には、非常に有効であり重要な点です。また、男女合意のもとで、早漏の防止と改善に取り組む場合でも、形状がグロテスクな物や大きなものと違い、本品は、非装着状態でも小さく、装着状態でも自然な形状であるので、女性が受け入れやすく同意を得やすい為、そのようにお互いが協力して行う場合にも適しています。
【００１４】
【発明の効果】この発明は、以上のように構成したので、早漏の防止、改善に対し、次のような効果を成し得る。
【００１５】本品は、ペニスの亀頭部を覆う事で、性行為中での亀頭部周辺への刺激を軽減し、射精までの持続時間を長くする事で、早漏の防止と改善が出来ます。また、ペニスの表皮が、亀頭部に被さるのも防止します。
【００１６】形状的に、イボイボ等の突起がある等のグロテスクな形状では無くまた、大きさも小さく、亀頭に沿った自然な形状の為、女性器に負担を掛けたり、女性に不快感を与える事無く使用出来ます。また、男性も装着時、適度な密着感を得られ、違和感が無く、一体感が有り、その為、不快感が無く、性器に対する負担も無く、自然な性交が行えます。
【００１７】また、女性に本品を付けている事が解り難い形状の為、女性に気付かれずに使用することが出来ます。
【００１８】また、男女合意の元、早漏の防止と改善に取り組む場合でも、大きさや形状に、抵抗感を感じ難く、女性も受け入れ易い為、同意を得やすく、その為、男女がお互いに協力して、それに、取り組む場合にも本品は適しています。
【００１９】また、本品は、各使用者に合うよう、数サイズを設け、更に各サイズごとに、数段階の厚さの設定を設ける事で、使用者は、自分のサイズに合ったものを選び装着する事が出来ます。また、使用者の、早漏の度合いや、好みに合わせた厚さのものを選択、装着する事が出来ます。
【００２０】また、更なる早漏の防止と改善を望む使用者は、本品を使用し持続時間が、長くなったところで、段階的に徐々に薄いものに替えて使用していく事で、女性に満足してもらう喜びを感じ、自信を取り戻しながら、同時にペニスへの性的刺激に対しても、少しづつ慣れていくことが出来ます。つまり、早漏の防止と改善に欠かせない、肉体面と精神面の両面から改善していく事が出来ます。最終的には、コンプレックスも解消され、性的刺激にも慣れ、本品を使用しなくても、持続するようになります。
【００２１】また、本品は、装着が簡単で、１秒から５秒ほどしか時間がかから無い為、性行為の直前に簡単に装着することが出来ます。また、本品は、使い捨ててもいいが、構造上簡単に洗浄できる為、使用後、中性洗剤等で十分に洗浄し、清潔に保管する事で、繰り返し使用することが出来ます。
【００２２】更に、本品は、その構造上、小型で柔軟な為、持ち運びや携帯にも適し、また、低コストで安価である。
【図面の簡単な説明】
【図１】この発明に係る早漏の防止、及び改善用具の正面図である
【図２】この発明に係る早漏の防止、及び改善用具の側面断面図である。
【図３】この発明に係る早漏の防止、及び改善用具の下面断面図である。
【図４】この発明に係る早漏の防止、及び改善用具の斜視図である。
【符号の説明】
１  先端開口部
２  亀頭カバー部
３  亀頭基部周辺肉厚部
４  亀頭基部下側周辺肉厚部
５  ストッパー部
６  後端開口部
７  尿道口
８  勃起状態のペニス
【図１】
2004261257.tif 000003
【図２】
2004261257.tif 000004
【図３】
2004261257.tif 000005
【図４】
2004261257.tif 000006